(57)【要約】【課題】  ダイオードとコンデンサーで、直流にした電流を、電球に流して、活性水素を発生させているが、ダイオードが傷んで、直流が流れず、交流が流れた場合  使用している電球の輝きで、直流であるか、交流であるかを、目視により、見分ける事が困難で、使用中に、器具を使用して試験するのは、感電の恐れもあり、使用を止めて、器具を使用しての検査も、電気に精通している人以外は、出来る事ではなく、いけるだろうでは、神経衰弱になり、簡単な解決法がないか待たれる。【解決手段】  電球、ダイオード、コンデンサーを主成分とした活性水素発生器に、活性水素発生器のダイオードの前後に２本の電線を接着し、この２本の電線の端に、見張り電球を付け、通電すると、ダイオードが健全な時には見張り電球は、点燈し、ダイオードが傷んで、直流が流れず、交流が流れた場合、消燈する。【選択図】図１
2016162751.tif 000002
【特許請求の範囲】
【請求項１】
電球、ダイオード、コンデンサーを主成分とした活性水素発生器に於いて、見張り電球の両端に接着した２本の電線を、ダイオードの前後に、接着し、見張り電球を付けた活性水素発生器に、通電すると、ダイオードが傷んで、直流が流れず、交流が流れた時に、点燈していたのが、消燈し、ダイオードの不良を知らせるのであって、電球、ダイオード、コンデンサーを主成分とした活性水素発生器の回路の中のダイオードの前部と後部から２本の電線を出して  この２本の電線の先に見張り電球を接続し、ダイオードの設定位置が、器内であろうと電源側器具内であろうとダイオードに異変が起った事を知らせる見張り電球を持った活性水素発生器の見張り電球の製造。
【請求項２】
電球、ダイオード、コンデンサーを主成分とした活性水素発生器に於いて、主電球に、ＬＥＤ電球を使用する時には、もう１つの主電球に白熱電球又はＥＣＯ電球、を併用すると見張り電球は順調に動くので、ＬＥＤ電球、ダイオード、コンデンサーを主成分とした活性水素発生器に、白熱電球又はＥＣＯ電球を併用する、活性水素発生器の見張り電球の製造。
【発明の詳細な説明】
【技術分野】
【０００１】この発明は健康を増進する器具に関する。
【背景技術】
【０００２】
【特許文献１】  登録第３１６８９１１号
【特許文献２】  登録第３１７０５８４号
【特許文献３】  登録第３１７２５８４号
【特許文献４】  登録第３１７３２６３号
【特許文献５】  登録第３１８９５０２号
【特許文献６】  登録第３１９２３８９号
【特許文献７】  登録第３１９２６４５号
【特許文献８】  登録第３１９４３６９号
【発明の概要】
【発明が解決しようとする課題】
【０００３】  近年、ストレスの緩和、精神的安定、空気中のゴミの除去作用があるとしてマイナスイオンが着目されているが、五感に容易にその効果が分かる器具はない。マイナスイオンとは酸素イオンの事で、オゾンＯ３である。体中では、活性酸素が悪事をするので、活性酸素を中和して、無害にする為、色々努力するのであるが、Ｏ３も活性酸素なので、マイナスイオンと同じ仲間で、Ｏ３は活性酸素に無力で、体にいい感じを与えないので、活性酸味を中和する活性水素を求めているが、前記背景技術は、ダイオードとコンデンサーで、直流とした電流を、電球に流して、活性水素を発生させているが、ダイオードが傷んで、直流が流れず、交流が流れた場合、使用している電球の輝きで、直流であるか、交流であるかを、目視により、見分ける事が困難で、使用中に、器具を使用して試験するのは、感電の恐れもあり、使用を止めて、器具を使用しての検査も、電気に精通している人以外は、出来る事ではなく、いけるだろうでは、神経衰弱になり、簡単な解決法がないか待たれる。【０００４】  本発明は、五感に容易に活性水素の存在を確かめられる為の工夫の開発である。
【課題を解決するための手段】
【０００５】  電球、ダイオード、コンデンサーを主成分とした活性水素発生器のダイオードの前後に２本の電線を接着し、この２本の電線の端に見張り電球を設置した。
【発明の効果】
【０００６】  ダイオードが、傷ついて、交流電流が流れた場合、点燈していた見張り電球は消燈してダイオードが  傷ついているのを知らせ、大量消費のネックを解消した。【０００７】  マイナスイオンは活性酸素とも言い猛毒で、体の中から何時も発生し、甲状腺ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和して、無毒の水として、活性酸素を除去するが、全てのガンに言える事であって、風邪、インフルエンザは、体力の弱った体に、活性酸素を発生させ、活性酸素が更に体力を弱らせて、病状を進行させるので、最初に活性水素で、活性酸素を中和して、無毒の水として、活性酸素を除去すると発生しない。【０００８】  肺は数秒で活性水素がうまい物として、大きな息を自然にし、活性酸素は、まずい物として、小さな息で苦しくなり、大容量の活性酸素発生器の開放口で呼吸をするのに１５秒で意識を失いかけた。【０００９】  手相の生命線に副生命線のある人は、数ヵ月で、之が伸びる。【００１０】  活性水素の気流中で、大きな呼吸をしたとき、片方の肺に異常を感じた場合、簡単に治る。
【発明を実施する為の形態】
【００１１】  図面を参照しながら説明します。図１、図２は横から見た図です。ソケット１の３から入った電流は、４のダイオード（３０Ｅ１）、１２のコンデンサーの片端、電球のソケット６の接点２９、２７の１１を通り電球の７、１５を点灯後電球のソケット６の接点１０、２７の３０を通り、１３のコンデンサーの片端を通り、電源ソケット１の２に至って電源に入り、プラス電極からマイナス電極に放電し活性水素が発生されるがダイオードが傷んで、直流が流れず、交流が流れた時に、活性水素発生器の回路の中のダイオードの前部と後部に、２本の電線を、接着し、この２本の電線の端に見張り電球を接着した器具の見張り電球は交流時には消燈する。
【図面の簡単な説明】
【００１２】図１は、活性水素発生器に交流電流の見張り電球を使用した電気回路図。
図２、図３は活性水素発生器に交流電流の見張り電球を使用した電源側器具の回路図。
【符号の説明】
【００１３】  １  ソケット
２  ソケットの先
３  ソケットの先
４  ダイオード
５  コンデンサー
６  電球のソケット
７  電球
８  プラス極
９  マイナス極
１０  プラス極接点
１１  マイナス極接点
１２  コンデンサーの片端
１３  コンデンサーの片端
１４  本体箱
１５  電球
１６  電球取出口
１７  安定円盤
１８  有孔電球ソケット安定盤
１９  ソケット
２０  ソケットの先
２１  ソケットの先
２２  トランスの端
２３  トランスの端
２４  トランス
２５  筒
２６  見張り電球
【図１】
2016162751.tif 000003
【図２】
2016162751.tif 000004
【図３】
2016162751.tif 000005
【手続補正書】
【提出日】平成27年5月30日(2015.5.30)
【手続補正１】
【補正対象書類名】特許請求の範囲
【補正対象項目名】請求項２
【補正方法】変更
【補正の内容】
【請求項２】
電球、ダイオード、コンデンサーを主成分とした活性水素発生器に於いて、見張り電球の両端に接着した２本の電線を、ダイオードの前後に、接着し、見張り電球を付けた活性水素発生器に、通電すると、ダイオードが傷んで、直流が流れず、交流が流れた時に、点燈していたのが、消燈し、ダイオードの不良を知らせるのであって、電球、ダイオード、コンデンサーを主成分とした活性水素発生器の回路の中のダイオードの前部と後部から２本の電線を出して、この２本の電線の先に見張り電球を接続し、ダイオードの設定位置が、器内であろうと電源側器具内であろうとダイオードに異変が起った事を知らせる見張り電球を持った活性水素発生器に於いて、主電球に、消費電力５Ｗ〜３０ＷのＬＥＤ電球を使用する時に、もう１つの主電球に、白熱電球又はＥＣＯ電球を併用する活性水素発生器の製造。
【手続補正書】
【提出日】平成27年6月16日(2015.6.16)
【手続補正１】
【補正対象書類名】特許請求の範囲
【補正対象項目名】請求項２
【補正方法】変更
【補正の内容】
【請求項２】
電球、ダイオード、コンデンサーを主成分とした活性水素発生器に於いて、見張り電球の両端に接着した２本の電線を、ダイオードの前後に、接着し、見張り電球を付けた活性水素発生器に、通電すると、ダイオードが傷んで、直流が流れず、交流が流れた時に、点燈していたのが、消燈し、ダイオードの不良を知らせるのであって、電球、ダイオード、コンデンサーを主成分とした活性水素発生器の回路の中のダイオードの前部と後部から２本の電線を出して、この２本の電線の先に見張り電球を接続し、ダイオードの設定位置が、器内であろうと電源側器具内であろうとダイオードに異変が起った事を知らせる見張り電球を持った活性水素発生器に於いて、主電球に、消費電力５Ｗ〜３０ＷのＬＥＤ電球を使用する時に、もう１つの主電球に、白熱電球又はＥＣＯ電球を併用する活性水素発生器の見張り電球の製造。